(57)【特許請求の範囲】
【請求項１】
静止画像と音声データを同時に記録する機能を有するデジタルカメラにおいて、被写体を撮像して画像データを得る手段と、音声を電気信号に変換して音声データを得る手段と、前記画像データを所定形態で画像データファイルとし、前記音声データを所定形態で音声ファイルとして格納する記憶手段とを備え、前記音声ファイルに前記画像データファイルを埋め込んだ静止画像付き音声ファイルを生成する手段を設けてなり、前記静止画像付き音声ファイルを生成する際に撮影された前記画像データファイルの関連情報として、撮影時の時間をタイムスタンプとして前記静止画像付き音声ファイルに記録することを特徴とするデジタルカメラ。
【請求項２】
静止画像と音声データを同時に記録する機能を有するデジタルカメラにおいて、被写体を撮像して画像データを得る手段と、音声を電気信号に変換して音声データを得る手段と、前記画像データを所定形態で画像データファイルとし、前記音声データを所定形態で音声ファイルとして格納する記憶手段とを備え、前記音声ファイルに前記画像データファイルを埋め込んだ静止画像付音声ファイルを生成する手段を設け、前記静止画像付き音声ファイルと前記画像データファイルを同時に生成し、前記静止画像付き音声ファイルを生成する際に撮影された前記画像データファイルの関連情報として、撮影時の時間をタイムスタンプとして前記静止画像付き音声ファイルに記録することを特徴とするデジタルカメラ。
【請求項３】
前記静止画像付き音声ファイルを生成する際に撮影された前記画像データファイルの関連情報として、前記画像データファイルの解像度情報を記録することを特徴とする請求項１または２に記載のデジタルカメラ。
【発明の詳細な説明】
【０００１】
【発明の属する技術分野】
本発明は、デジタルカメラに関し、特に、静止画像付音声ファイルを生成する機能を有するカメラに用いて好適な装置に関する。
【０００２】
【従来の技術】
例えば、デジタルスチルカメラにおいては、撮影した画像および音声をデジタル画像および音声データに変換して圧縮した後に、付属のメモリカード等に記録させる場合が多い。画像データまたは音声データを記録する場合に用いられる圧縮方法としては、近年のデジタルスチルカメラの普及に伴ってある程度統一された規格に沿ってファイル化されるようになっている。このことは特開平１１−１３６６２３号公報にも見られるように、画像データの場合にはＪＰＥＧファイル規格、音声データの場合にはＷＡＶファイル規格を用いられることが多い。
【０００３】
その際に、撮影された画像ファイルおよび録音された音声ファイルを互いに関連付けしたものとして扱い、音声付き静止画像ファイルとしてファイル管理するような機能を有するようになってきている。上記特開平１１−１３６６２３号公報に記載されたファイル管理方式では、記録された画像ファイルと音声ファイルとの関連付けとしては、それぞれのファイルの中に関連付け情報というものを記憶することで、互いのファイルが関連したものであるという管理をしている。この情報によって、画像ファイルを再生する際に関連する音声ファイルを呼び出して再生することで、画像ファイルに対応した音声ファイルを再生することができる。このことは同様に音声ファイルを再生する際に、関連した画像ファイルを再生して表示をすることができることを意味している。
【０００４】
【発明が解決しようとする課題】
しかしながら、上記のファイル管理方法では画像ファイルが消去された場合には、音声ファイルを再生した際に表示すべき画像ファイルがないため画像を表示することができない。
【０００５】
本発明では以上述べたような従来技術の問題点に鑑みてなされたものであり、静止画像と音声データを同時に記録した場合に、音声データファイルに画像データを埋め込んだ静止画像付き音声データファイルと画像データファイルを生成することで、万一画像データファイルが消去された場合でも音声ファイルのみで画像データの再生が可能なデジタルカメラを提供することを目的とする。
【０００６】
【課題を解決するための手段】
本発明によれば、静止画像と音声データを同時に記録する機能を有するデジタルカメラにおいて、被写体を撮像して画像データを得る手段と、音声を電気信号に変換して音声データを得る手段と、前記画像データを所定形態で画像データファイルとし、前記音声データを所定形態で音声ファイルとして格納する記憶手段とを備え、前記音声ファイルに前記画像データファイルを埋め込んだ静止画像付き音声ファイルを生成する手段を設けてなり、前記静止画像付き音声ファイルを生成する際に撮影された前記画像データファイルの関連情報として、撮影時の時間をタイムスタンプとして前記静止画像付き音声ファイルに記録するようにしている。
【０００７】
また、本発明のよれば、静止画像と音声データを同時に記録する機能を有するデジタルカメラにおいて、被写体を撮像して画像データを得る手段と、音声を電気信号に変換して音声データを得る手段と、前記画像データを所定形態で画像データファイルとし、前記音声データを所定形態で音声ファイルとして格納する記憶手段とを備え、前記音声ファイルに前記画像データファイルを埋め込んだ静止画像付き音声ファイルを生成する手段を設け、前記静止画像付き音声ファイルと前記画像データファイルを同時に生成し、前記静止画像付き音声ファイルを生成する際に撮影された前記画像データファイルの関連情報として、撮影時の時間をタイムスタンプとして前記静止画像付き音声ファイルに記録するようにしている。
【０００８】
また、本発明のよれば、前記静止画像付き音声ファイルを生成する際に撮影された前記画像データファイルの関連情報として、前記画像データファイルの解像度情報を記録するようにしている。
【００１０】
【発明の実施の形態】
本発明によるデジタルカメラの一実施形態を図１乃至図３に基づいて以下説明する。
【００１１】
図１は本発明の一構造例を示すブロック図、図２（ａ），（ｂ）は静止画付き音声ファイルを構成する静止画データ部分のフォーマット例及び静止画付き音声ファイルのフォーマット例を示す図である。以下に添付図面を参照して、この発明に係る実施の形態を詳細に説明する。
【００１２】
図１に示すように、本デジタルカメラは、ＣＣＤ、ＡＧＣなどを含む画像入力部１０１、ＹＵＶ信号を生成する信号処理部１０２、システム全体を制御する制御部１０３、ＤＭＡコントローラ１０４、メモリ１０５、画像圧縮伸張部１０６、圧縮データをメディアに記録、読み出しする記録読み出し部１０７、記録媒体１０８、表示インターフェイス１０９、ディスプレイ１１０、マイク１１１、音声信号処理部１１２、音声データ圧縮伸張部１１３、操作部１１４を備える。
【００１３】
上記デジタルカメラは、動画像録再機能、静止画録再機能、音声のみの録再機能、静止画像付音声ファイルの録再機能を有し、これらのモード切換え等の操作は操作部１１４を操作することで行われる。
【００１４】
最初に、動画像または静止画撮影時の画像データの記録動作を説明する。
【００１５】
撮影を開始すると撮影された被写体の光信号は画像入力部１０１に入力され、光電変換されてアナログ映像信号となり、ＡＧＣ等の処理を施され信号処理部１０２へ出力される。信号処理部１０２に入力された映像信号は、Ａ／Ｄ変換されデジタル信号に変換されるとともに、ガンマ補正、フィルタリング、輪郭強調処理が施され、Ｙ（輝度）、Ｕ（赤の色差）、Ｖ（青の色差）信号が生成される。
【００１６】
制御部１０３は、内部に備えたプログラムに基づいて、生成されたＹ，Ｕ，Ｖ信号をＤＭＡコントローラ１０４を介して、メモリ１０５に記憶する。
【００１７】
次に、記憶されたデジタル映像信号は、ＤＭＡコントローラ１０４を介して画像圧縮伸張部１０６へ読み出され圧縮処理される。圧縮されたデータは、一旦メモリ１０５に記憶された後、制御部１０３により所定のフォーマットにしたがって、記録読み出し部１０７を介して記録媒体１０８に記録される。所定のフォーマットとは、例えばＪＰＥＧファイル規格が用いられる。
【００１８】
動画像撮影時または音声のみの録音動作については、マイク１１１から入力された音声信号は、音声信号処理部１１２にてＡ／Ｄ変換されデジタル信号に変換されるとともに、フィルタリング処理が施され、制御部１０３の内部に備えたプログラムに基づき、ＤＭＡコントローラ１０４を介してメモリ１０５に記憶される。記憶されたデジタル音声信号は、ＤＭＡコントローラ１０４を介して音声データ圧縮伸張部１１３へ読み出され圧縮処理される。
【００１９】
圧縮されたデータは、一旦メモリ１０５に記憶された後、制御部１０３により所定のフォーマットにしたがって、記録読み出し部１０７を介して記録媒体１０８に記録される。所定のフォーマットとは、例えばＷＡＶファイル規格が用いられる。
【００２０】
次に、画像データの再生時の動作説明をする。再生を開始すると、記録媒体１０８より指定された圧縮画像データファイルが読み出され、一旦メモリ１０５に格納される。このメモリ１０５に格納された画像データは、ＤＭＡコントローラ１０４を介して画像圧縮伸張部１０６に入力され、伸張処理されて、再びメモリ１０５に格納される。メモリ１０５に格納された伸張された画像データは、ＤＭＡコントローラ１０４を介して表示インターフェイス１０９に入力され、ビデオ信号に変換されてディスプレイ１１０に表示される。
【００２１】
一方、音声の再生動作は、記録媒体１０８から指定された圧縮音声データファイルが読み出され、一旦メモリ１０５に格納される。このメモリ１０５に格納された音声データは、ＤＭＡコントローラ１０４を介して音声データ圧縮伸張部１１３に入力され、伸張処理されて、再びメモリ１０５に格納される。メモリ１０５に格納された伸張された音声データは、ＤＭＡコントローラを介して音声信号処理部１１２に入力されて、音声出力信号として出力される。
【００２２】
次に、本発明の特徴である静止画像付音声ファイルの生成方法について説明する。なお、静止画像付音声ファイルを生成する場合、音声ファイルに結合される静止画像データ（例えば、サムネイル画像データ）の本画像となる静止画像データ（本画像データと称す）も同時に生成する。これは、本画像データをそのまま音声ファイルに結合するとファイルサイズが大きくなるため、音声ファイルに結合する静止画像データ（サムネイル画像データ）の画像サイズを、本画像データを小さく圧縮する目的、及び、音声データに結合した静止画像データの本画像を参照できるように生成するものである。
【００２３】
図２（ａ）は静止画像付音声ファイルの音声ファイルに結合される静止画像データ（サムネイル画像データ）のフォーマット例を示すものである。画像データファイル２０は、画像データの圧縮方式はＪＰＥＧ準拠の規格であるということを示すためのＪＰＥＧヘッダ２０１、本画像が格納されているディレクトリと本画像のファイル名の情報２０２、本画像の解像度情報２０３、タイムスタンプ２０４、ＪＰＥＧ準拠の規格で圧縮されたＪＰＥＧコード２０５からなる。
【００２４】
図２（ｂ）は静止画付音声ファイルの構成例を示す。音声ファイル３０はＷＡＶ準拠の規格であることを示すＷＡＶヘッダ情報３０１、ＷＡＶ準拠の規格で圧縮されたＷＡＶコード３０２、その後に前記図２（ａ）で説明した静止画像データファイル２０を結合することで構成される。
【００２５】
静止画像付音声ファイル３０の生成は静止画付き音声録音モードに選択した時に行われる。本実施例の場合、カメラ等の撮影関連部分の待機消費電力節減のため、音声のみの録音モードを選択中において更に静止画付き音声録音モードを指示することにより、静止画付き音声録音モードに入るようにしている。もちろん、ここでは説明を省略するが、音声のみの録音モードと独立して静止画付き音声録音モードを選択するようにしてもよい。
【００２６】
まず、音声のみの録音モードが選択されると、操作部１１４から音声のみのモードで録音を開始する指示が制御部１０３に入力される。マイク１１１から入力された音声信号は、音声信号処理部１１２にてＡ／Ｄ変換されデジタル信号に変換されるとともに、フィルタリング処理が施されて、制御部１０３は、内部に備えたプログラムに基づいて、音声信号処理部１１２出力の音声データをＤＭＡコントローラ１０４を介してメモリ１０５に記憶する。
【００２７】
そして、この音声録音処理中に、ユーザは操作部１１４を操作しモード切換えを行い、静止画付き音声録音モードを選択する。静止画付き音声録音モードが選択されると、操作部１１４から静止画付き音声録音モードを開始する指示が制御部１０３に入力され、静止画像が記録できる状態となる。
【００２８】
次に、ユーザによるシャッターを押す等の操作により、操作部１１４から静止画像を撮影するという指示が制御部１０３に入力されると、撮像された信号は画像入力部１０１に入力され、信号処理部１０２で信号処理され、制御部１０３のプログラムに基づいて生成されたＹ，Ｕ，Ｖ信号となり、ＤＭＡコントローラ１０４を介してメモリ１０５に記憶される。
【００２９】
その後、操作部１１４から録音終了の指示が制御部１０３に入力されると、静止画像付音声データをファイルにする処理を行う。まず、メモリ１０５に記憶された音声データは、ＤＭＡコントローラ１０４を介して音声圧縮伸張部１１３へ出力され圧縮処理が施される。圧縮処理が行われた後、ＤＭＡコントローラ１０４を介して、一旦メモリ１０５に格納される。このとき音声データのファイル化はまだ行わない。
【００３０】
音声圧縮データの格納が完了後、先に本画像となる静止画データ（本画像データ）のファイル化を行う。メモリ１０５に記憶された静止画データが、ＤＭＡコントローラ１０４を介して画像圧縮伸張部１０６へ出力され圧縮処理が施される。圧縮処理が行われた後、ＤＭＡコントローラ１０４を介して、一旦メモリ１０５に格納される。その後、制御部１０３のプログラムにより静止画像データファイル名（例えば  ＰＩＣＮ００１．ＪＰＧ，ＰＩＣＮ００２．ＪＰＧ，…）を生成する。ファイル名を生成後、圧縮された静止画像データをファイル化し、記録読み出し部１０７を介して記録媒体１０８に記録される。
【００３１】
次に音声データに結合するための静止画像データ（例えば、サムネイル画像データ）を生成する。先に本画像となる静止画像データをファイル化したデータがメモリ１０５にあるので、そのデータを、ＤＭＡコントローラ１０４を介して画像圧縮伸張部１０６へ出力する。画像圧縮伸張部１０６で圧縮処理する際に制御部１０３のプログラムによって、画像サイズを縮小する。縮小された画像データは、画像圧縮伸張部１０６で圧縮後、ＤＭＡコントローラを介して、一旦メモリ１０５に格納される。
【００３２】
次に、圧縮された音声データと、音声データに結合するために縮小，圧縮された静止画像データをメモリ１０５に格納した後、静止画像付音声データのファイル化を行い、図２（ｂ）に示されるような音声ファイル３０を生成する。
【００３３】
まず、制御部１０３の内部に備えたプログラムにより、音声データファイル名（例えば  ＶＩＣＡ００１．ＷＡＶ，ＶＩＣＡ００２．ＷＡＶ，…）を作成する。音声データファイル名を生成後、制御部１０３のプログラムによって、図２（ａ）に示しているように、本画像データの格納ディレクトリ名とファイル名２０２、本画像の解像度２０３，およびファイル生成時のタイムスタンプ２０４を獲得し、それにＪＰＥＧ準拠の規格で圧縮されたことを示すＪＰＥＧヘッダ２０１を先頭につける。その情報にメモリ１０５に格納されている縮小，圧縮静止画データをつけて、音声データに結合するために静止画データ（サムネイル画像データ）２０５を生成する。
【００３４】
最後に図２（ｂ）の音声データ３０をファイル化する際に、上記静止画データ２０を音声データ３０に結合させてファイル化し、記録読み出し部１０７を介して記録媒体１０８へ記録する。
【００３５】
静止画付音声ファイルの再生は次のように行われる。
【００３６】
操作部１１４から制御部１０３に音声ファイルの再生モードが指示されると、ファイル選択メニューの表示がなされる。その表示動作は、まず、記録媒体１０８から、記録されている各ファイルのＷＡＶヘッダ３０１やＪＰＥＧヘッダ２０１のヘッダ情報が読み出される。
【００３７】
ＪＰＥＧヘッダ２０１が検出されたファイル（静止画付音声ファイル）は、更に、ＪＰＥＧ２０５が読み出され画像圧縮伸張部１０６へ出力されて伸張され、表示インターフェース１０９を介し、ディスプレイ１１０にそのファイルのサムネイル画像が表示される。
【００３８】
ＪＰＥＧヘッダ２０１が検出されないファイル（通常の音声ファイル）はブランク画像（サムネイル画像と同形状の無地画像）表示となり、ファイル選択メニューの表示は、上記サムネイル画像とブランク画像の２種の表示メニューとなる。
【００３９】
ファイル選択メニュー表示より、静止画付音声ファイルが選択され、操作部１１４から制御部１０３に静止画付音声ファイル３０の再生が指示されると、記録媒体１０８から静止画付音声ファイルが、記録読み出し部１０７を介して一旦メモリ１０５へ記憶される。記憶された静止画付音声ファイルは、メモリ１０５からＤＭＡコントローラを介して画像圧縮伸張部１０６に入力される。画像圧縮伸張部１０６において、静止画付音声ファイルに対し制御部１０３のプログラムによって、図２のＪＰＥＧヘッダ２０１が検索される。
【００４０】
ＪＰＥＧヘッダ２０１が検出され、静止画付音声ファイルである場合には、次に、本画像ファイルが存在するかどうかの確認がなされる。画像圧縮伸張部１０６にてＪＰＥＧヘッダ２０１を検出した後、ＪＰＥＧヘッダ２０１につづくディレクトリ名とファイル名２０２の情報に基づいて、制御部１０３のプログラムによって記録読み出し部１０７が制御され、記録媒体１０８に当該本画像ファイルが存在するかどうかを検索する。
【００４１】
記録媒体１０８で使用されるファイル管理構造は一般に使われるＦＡＴ（ｆｉｌｅ  ａｌｌｏｃａｔｉｏｎ  ｔａｂｌｅ）構造を用いている。このＦＡＴ領域にファイルの記録されているディレクトリ名やファイル名が記述されている。
【００４２】
本画像ファイルが存在するかどうかの確認は、まず、制御部１０３のプログラムによって、記録読み出し部１０７に記録媒体１０８のＦＡＴ領域を検索させ、本画像ファイルのディレクトリ名とファイル名２０２が存在するかどうかを確認する。ディレクトリ名とファイル名が一致した場合、更に、タイムスタンプ２０４が静止画付き音声ファイルのタイムスタンプと一致しているかどうかを確認する。この両方が一致した場合のみ、本画像ファイルが存在するとしている。
【００４３】
なお、タイムスタンプは、操作のやり方によっては同名のファイル名で別ファイルが記録されることもあり、その時の確認手段でもある。
【００４４】
本画像ファイルが存在する場合は後述するように本画像ファイルより静止画像が再生・表示されるが、本画像ファイルが存在しない場合、例えば、ユーザが本画像ファイルを消去してしまった時等であっても、音声ファイル３０に結合された静止画データ２０の再生が行われ静止画像を表示することができる。すなわち、画像圧縮伸張部１０６に入力された音声ファイルを制御部１０３のプログラムにより、音声ファイルの中からＪＰＥＧヘッダ２０１を検出する。ＪＰＥＧヘッダ２０１を検出した場合には、後に続くＪＰＥＧコード２０４を伸張し、表示インターフェイス１０９に入力することによって、ディスプレイ１１０に音声ファイル３０に結合された静止画データ２０による静止画像を表示させることができる。
【００４５】
なお、ＪＰＥＧヘッダ２０１を検出できなかった場合には、静止画像データ２０が結合されていないものと判断し、静止画の表示は行われない。
【００４６】
ユーザによって消去されることなく本画像ファイルが存在している場合には、まずその本画像ファイルの解像度情報を読み出す。画像圧縮伸張部１０６に入力された静止画付き音声ファイルの中から本画像解像度２０３の情報を読み出し、本画像の解像度を確認しておく。ここで読み出しておくことで、後で本画像が入力された時に確認する必要がない。そのため画像伸張処理の時間を短縮することが可能である。
【００４７】
本画像ファイルの情報を読み出した後、本画像ファイルの再生処理を行う。記録媒体１０８から記録読み出し部１０７に本画像となる静止画像ファイルを読み出し、メモリ１０５に格納する。格納された静止画像データはＤＭＡコントローラを介して画像圧縮伸張部１０６へ出力される。画像圧縮伸張部１０６で伸張する際に先程読み出した本画像解像度２０３にしたがって画像の伸張を行う。画像圧縮伸張部１０６で伸張後、表示インターフェイス１０９を介してディスプレイ１１０に静止画像を表示する。
【００４８】
本画像ファイルが存在する場合には、静止画付音声ファイルに結合された静止画データは再生する必要がないため、本画像ファイルを表示した後、音声データの再生を行う。
【００４９】
記録媒体１０８に格納されている音声ファイルデータは、記録読み出し部１０７を介してメモリ１０５に格納され、メモリ１０５からＤＭＡコントローラ１０４を介して音声圧縮伸張部１１３に出力される。音声圧縮伸張部１１３で音声データを伸張する際に、制御部１０３のプログラムによって、ＪＰＥＧヘッダ２０１以降のデータは音声データではないことを判断するので、その部分は再生されない。音声圧縮伸張部１１３で伸張後、ＤＭＡコントローラ１０４を介して音声信号処理部１１２に出力され、音声信号処理部１１２にてＤ／Ａ変換等の処理が施され、音声出力信号として出力される。
【００５０】
以上説明したように、本実施の形態において静止画像付音声ファイルは、音声ファイルに結合する静止画像データの画像サイズを本画像データより小さくして圧縮し、音声ファイルに埋め込むとともに、結合した静止画像データの本画像を参照できるように生成するものである。
【００５１】
従って、静止画像付音声ファイル再生時、ファイル選択のメニュー表示には、画像サイズを小さく圧縮した静止画像データを用いてサムネイル表示し、画像再生時の静止画像データには、本画像データを用いて高画質表示を可能とするとともに、ユーザが本画像データを消去してしまった時でも、小さく圧縮された静止画像データを用いることで、静止画像の再生を可能とするものである。
【００５２】
【発明の効果】
本発明によれば、静止画像と音声データを同時に記録する機能を有するデジタルカメラにおいて、被写体を撮像して画像データを得る手段と、音声を電気信号に変換して音声データを得る手段と、前記画像データを所定形態で画像データファイルとし、前記音声データを所定形態で音声ファイルとして格納する記憶手段とを備え、前記音声ファイルに前記画像データファイルを埋め込んだ静止画像付き音声ファイルを生成する手段を設けたものであり、本画像となる静止画像を消去した場合でも、静止画像付き音声ファイル再生時に静止画像を表示することができる。
【００５３】
また本発明によれば、前記静止画像付き音声ファイルと前記画像データファイルを同時に生成することとしたので、静止画像付き音声ファイル再生時の静止画像データには、音声ファイルに結合された静止画像の本画像を用いて音声再生時に表示することができ、画質表示を可能とする。
【００５４】
また本発明によれば、前記静止画像付き音声ファイルを生成する際に撮影された前記画像データファイルの関連情報として、撮影時の時間をタイムスタンプとして前記静止画像付き音声ファイルに記録することとしたので、前記静止画像付き音声ファイルと、前記画像データファイルとのタイムスタンプを比較することで同名のファイルが存在した場合、実際に必要となるファイルの検出を行うことができる。
【００５５】
また本発明によれば、前記静止画像付き音声ファイルを生成する際に撮影された前記画像データファイルの関連情報として、前記画像データファイルの解像度を記録することとしたので、本画像を再生する際に解像度情報を前もって得ることができるので、前記画像データファイルの再生を行う際に解像度情報を検索する必要が生じないため、時間を早めることができる。
【００５６】
また本発明によれば、前記静止画像付き音声ファイルを生成する際に撮影された前記画像データファイルの関連情報として、前記画像データファイルのファイル名と格納ディレクトリ名を記録することとしたので、前記静止画像付き音声ファイルの関連情報からファイル名を簡単に呼び出すことで、音声ファイルに結合された静止画データの本画像となる前記画像データファイルを再生することができる。
【図面の簡単な説明】
【図１】この発明に係るデジタルカメラの一実施例の形態を示すブロック図である。
【図２】静止画付き音声ファイルを構成する静止画データ部分のフォーマット例、及び静止画付き音声ファイルのフォーマット例を示す図である。
【符号の説明】
１０１  画像入力部
１０２  信号処理部
１０３  制御部
１０４  ＤＭＡコントローラ
１０５  メモリ
１０６  画像圧縮伸長部
１０７  記録読み出し部
１０８  記録媒体
１０９  表示インターフェイス
１１０  ディスプレイ
１１１  マイク
１１２  音声信号処理部
１１３  音声圧縮伸張部
１１４  操作部
２０  静止画データ部分
３０  静止画付き音声ファイル
２０１  ＪＰＥＧヘッダー
２０２  ディレクトリ名階層０、ディレクトリ階層１、ファイル名＋拡張子
２０３  本画像解像度
２０４  タイムスタンプ
２０５  ＪＰＥＧコード
３０１  ＷＡＶヘッダ
３０２  ＷＡＶコード
【図１】
0003559499.tif 000002
【図２】
0003559499.tif 000003